(57)【要約】【課題】衝撃に耐えるに十分な強度を備え、構成が単純であり、部品点数が少なく、軽量であり、製造コストを削減することができる機器用調整脚を提供する。【解決手段】外周に第１の係合部が形成された摺動軸部２１と、摺動軸部２１の一端に形成された接地部４１を有する脚１０と、第１の係合部に係合可能な第２の係合部が形成され且つ脚１０の長手方向に移動可能であり、第２の係合部を第１の係合部に係合させて当該移動を阻止するロック部５０と、前記係合を解除する係合解除部を備え、ロック部５０は、摺動軸部２１を貫通させる貫通孔５１を有する取付用ケース５２に一体的に設けられたトーションバー５３と、トーションバー５３に一体的に設けられ且つ第２の係合部が形成されたロックピース５５を有し、前記係合解除部は、トーションバー５３を捩り変形させることで前記係合を解除する。【選択図】図１
2007147058.tif 000002
【特許請求の範囲】
【請求項１】
外周に第１の係合部が形成されてなる摺動軸部と、当該摺動軸部の一端に形成された接地部と、を有してなる脚と、
前記第１の係合部に係合可能な第２の係合部が形成されてなり、前記脚の長手方向に移動可能であると共に、当該第２の係合部を第１の係合部に係合させて当該移動を阻止するロック部と、
前記係合を解除する係合解除部と、
を備えてなり、
前記ロック部は、前記摺動軸部を貫通させる貫通孔が形成されてなる取付用ケースと、当該取付用ケースに設けられたトーションバーと、当該トーションバーに一体的に設けられ且つ前記第２の係合部が形成されたロックピースと、を有してなり、
前記係合解除部は、前記トーションバーを捩り変形させることで前記係合を解除する機器用調整脚。
【請求項２】
前記トーションバーは、前記取付用ケースに一体的に設けられてなる請求項１記載の機器用調整脚。
【請求項３】
前記トーションバーは、前記取付用ケースとは別部材から構成されてなる請求項１記載の機器用調整脚。
【請求項４】
前記トーションバーは、前記取付用ケースの貫通孔に前記摺動軸部が貫通した際に、捩り変形し、当該捩り変形を復元させるように作用する復元力によって、前記ロックピースを前記摺動軸部に押圧して前記第２の係合部を第１の係合部に係合させ、前記係合解除部によって、前記復元力に抗して前記トーションバーを捩り変形させることで前記係合を解除する請求項１ないし請求項３のいずれか一項に記載の機器用調整脚。
【請求項５】
前記ロック部は、前記トーションバーの自由端側に一体的に設けられた連結部をさらに有し、前記ロックピースは、当該連結部に一体的に設けられてなる請求項１ないし請求項４記載のいずれか一項に記載の機器用調整脚。
【請求項６】
前記係合解除部は、前記ロック部に一体的に設けられてなる請求項１ないし請求項５のいずれか一項に記載の機器用調整脚。
【請求項７】
前記係合解除部は、前記ロックピースに一体的に設けられた操作レバーからなる請求項６記載の機器用調整脚。
【請求項８】
前記係合解除部は、前記ロック部とは別体に形成されてなる請求項１ないし請求項５のいずれか一項に記載の機器用調整脚。
【請求項９】
前記係合解除部は、前記ロック部に対し着脱可能に取付けられてなる請求項８記載の機器用調整脚。
【請求項１０】
前記係合解除部は、前記取付用ケース内を進退移動可能であり、前進した際に前記ロックピースを押圧することで前記トーションバーを捩り変形させるプッシュボタンからなる請求項６、請求項８、請求項９のいずれか一項に記載の機器用調整脚。
【請求項１１】
前記取付用ケースの内壁に、前記プッシュボタンの進退移動をガイドするガイド部を設けた請求項１０記載の機器用調整脚。
【請求項１２】
前記ロックピースに、該ロックピースを前記トーションバーの捩り変形を復元させる方向に付勢する付勢部材を設けてなる請求項１ないし請求項１１のいずれか一項に記載の機器用調整脚。
【請求項１３】
前記付勢部材は、前記ロックピース及び取付用ケースに一体的に設けられてなる請求項１２記載の機器用調整脚。
【請求項１４】
前記取付用ケースに、該ロックピースを前記トーションバーの捩り変形を復元させる方向に付勢する付勢部材を一体的に設けてなる請求項１ないし請求項１１のいずれか一項に記載の機器用調整脚。
【請求項１５】
前記トーションバーの自由端は、前記取付用ケースに形成され且つ当該トーションバーの捩り変形を許容する支持孔に遊貫されてなる請求項１ないし請求項１４のいずれか一項に記載の機器用調整脚。
【請求項１６】
前記取付用ケースの外壁に、当該取付用ケースが固定される機器に形成された被嵌合部に着脱可能に嵌合する嵌合部を設けてなる請求項１ないし請求項１５のいずれか一項に記載の機器用調整脚。
【請求項１７】
前記摺動軸部は、機械的強度を有する樹脂にて形成された中空の外周部と、当該外周部の中空部に挿入された金属製の芯材と、を備えてなり、
前記接地部は、その一部が前記中空部に挿入され、当該中空部に挿入された少なくとも一部が、前記中空部を画定する外周部の内壁と、前記中空部に挿入された芯材とによって挟持されてなる請求項１ないし請求項１６のいずれか一項に記載の機器用調整脚。
【請求項１８】
前記外周部の内壁は、前記接地部が配設される側の端部側に、前記中空部の内径が小さくなるように突出した段部を有し、前記接地部の当該中空部に挿入された少なくとも一部は、当該段部と当該中空部に挿入された芯材とによって挟持されてなる請求項１７記載の機器用調整脚。
【発明の詳細な説明】
【技術分野】
【０００１】
本発明は、洗濯機やプロジェクタ（投影機）等の電子・電気機器等、様々な機器を床面や机上に設置する場合に、当該機器の傾きや高さを調整するために使用される機器用調整脚に関する。
【背景技術】
【０００２】
従来から、洗濯機やプロジェクタ（投影機）等の電子・電気機器等、様々な機器を床面や机上に設置する場合に、当該機器の傾きや高さを調整するための機器用調整脚が種々紹介されている。
【０００３】
このような機器用調整脚としては、例えば、機器外枠の下部に配設され、下方に接地部を形成し軸部外周にねじ等の凹凸部を形成した脚と、該脚のねじ等の凹凸部を軸支孔に挿通させる取付用ケースと、該ケース内に前後に摺動可能に設けられた押ボタンと、該押ボタンをケース内前後に摺動することにより押ボタンまたは自身に設けられたカム溝に導かれて縮径または拡大するロックピースとを備え、ロックピースの縮径または拡大により前記ねじ等の凹凸部をロックあるいは解除する構成を有するものがある。（例えば、特許文献１参照）。
【０００４】
また、機器外枠の下部に上下方向に移動可能に配設され、下方に接地部を形成し上方に外周にねじ等の凹凸部を設けた摺動軸部を形成した脚と、該脚の上下方向への移動をロック（阻止）する手段と、そのロックを解除する手段とを備え、前記脚の摺動軸部を、ポリカーボネート等の機械的強度を有する樹脂にて外周部を構成すると共に、当該脚の芯材として長尺状の金属部材を用いた機器用調整脚もある。この機器用調整脚では、前記脚の上下方向への移動を阻止する手段は、脚の摺動軸部を軸支孔に挿通させる取付用ケースと、該取付用ケースに軸支され、前記脚の凹凸部と係合する凹凸部を複数段備えたロックピースと、脚の摺動軸部の凹凸部とロックピースの凹凸部との係合を維持する手段とから構成されている。（例えば、特許文献２参照）。
【特許文献１】特開平１０−４２９８１号公報
【特許文献２】特開２００２−２９５７９０号公報
【発明の開示】
【発明が解決しようとする課題】
【０００５】
しかしながら、前述した従来の機器用調整脚は、脚に形成された凹凸部とロックピースとの係合をコイルバネの付勢力によって維持していると共に、取付用ケースとロックピースが別部材から構成されており、構成が複雑であった。また、部品点数の削減も望まれていた。
【０００６】
本発明は、このような事情に鑑みなされたものであり、衝撃に耐えるに十分な強度を備えることは勿論のこと、構成が単純であり、部品点数が少なく、軽量であり、製造コストを削減することができる機器用調整脚を提供することを目的とする。
【課題を解決するための手段】
【０００７】
この目的を達成するため本発明は、外周に第１の係合部が形成されてなる摺動軸部と、当該摺動軸部の一端に形成された接地部と、を有してなる脚と、前記第１の係合部に係合可能な第２の係合部が形成されてなり、前記脚の長手方向に移動可能であると共に、当該第２の係合部を第１の係合部に係合させて当該移動を阻止するロック部と、前記係合を解除する係合解除部と、を備えてなり、前記ロック部は、前記摺動軸部を貫通させる貫通孔が形成されてなる取付用ケースと、当該取付用ケースに一体的に設けられたトーションバーと、当該トーションバーに設けられ且つ前記第２の係合部が形成されたロックピースと、を有してなり、前記係合解除部は、前記トーションバーを捩り変形させることで前記係合を解除する機器用調整脚を提供するものである。
【０００８】
この構成を備えた機器用調整脚は、ロック部を構成する取付用ケースと、トーションバーと、ロックピースとが一体的に形成されていると共に、係合解除部によって前記トーションバーを捩り変形させることで、前記脚とロック部との係合を解除する構成を備えているため、構成が単純であり、部品点数を少なくすることができる。
【０００９】
また、本発明にかかる機器用調整脚は、前記トーションバーを前記取付用ケースに一体的に設けてもよく、前記トーションバーを前記取付用ケースとは別部材から構成してもよい。
【００１０】
また、本発明にかかる機器用調整脚は、前記取付用ケースの貫通孔に前記摺動軸部が貫通した際に、前記トーションバーが捩り変形し、当該捩り変形を復元させる（元の形態に戻そうとする）ように作用する復元力によって、前記ロックピースを前記摺動軸部に押圧して前記第２の係合部を第１の係合部に係合させ、前記係合解除部によって、前記復元力に抗して前記トーションバーを捩り変形させることで前記係合を解除するよう構成することができる。このように構成することで、前記」利点に加え、前記第１の係合部と第２の係合部との係合をさらに確実に維持することができる。
【００１１】
そしてまた、前記ロック部は、前記トーションバーの自由端側に一体的に設けられた連結部をさらに有し、前記ロックピースが当該連結部に一体的に設けられた構成を備えることもできる。このように構成することで、前記利点に加え、前記トーションバーの復元力（捩り変形により得られるばね力）を前記ロックピースにより確実に効率よく伝達することができる。
【００１２】
また、本発明にかかる機器用調整脚は、前記係合解除部を前記ロック部に一体的に設けた構成を備えることもできる。この構成により、さらに構成を単純にして部品点数をより少なくすることができる。そして、この構成の場合、前記係合解除部は、前記ロックピースに一体的に設けられた操作レバーから構成することもできる。また、この構成の場合、前記係合解除部は、前記取付用ケース内を進退移動可能であり、前進した際に前記ロックピースを押圧することで前記トーションバーを捩り変形させるプッシュボタンから構成することもできる。
【００１３】
そしてまた、本発明にかかる機器用調整脚は、前記係合解除部を前記ロック部とは別体に形成することもできる。この構成の場合、前記係合解除部は、前記ロック部に対し着脱可能に取付けられる構成を備えることもできる。また、前記係合解除部は、前記取付用ケース内を進退移動可能であり、前進した際に前記ロックピースを押圧することで前記トーションバーを捩り変形させるプッシュボタンから構成することもできる。
【００１４】
そしてまた、前記係合解除部を前述したプッシュボタンから構成する場合、前記取付用ケースの内壁に、当該プッシュボタンの進退移動をガイドするガイド部を設けることもできる。このようにすることで、前記プッシュボタンの進退移動をより一層確実に行うことができ、操作性を向上することができる。
【００１５】
さらにまた、本発明にかかる機器用調整脚は、前記ロックピースに、該ロックピースを前記トーションバーの捩り変形を復元させる方向に付勢する付勢部材を設けることもできる。このように構成することで、前記係合解除部によってトーションバーを捩り変形させて、前記第１の係合部と第２の係合部との係合を解除した後、再び両者を係合させる際に、トーションバーの捩り変形をさらに復元し易く（元に戻し易く）することができる。
【００１６】
また、前記付勢部材は、前記ロックピース及び取付用ケースの両方に一体的に設けることもできる。あるいは、前記付勢部材は、前記取付用ケースのみに一体的に設けることもできる。そして、いずれの構成であっても、構成が複雑になることがない。
【００１７】
そしてまた、本発明にかかる機器用調整脚は、前記トーションバーの自由端が、前記取付用ケースに形成され且つ当該トーションバーの捩り変形を許容する支持孔に遊貫された構成とすることもできる。このように構成することで、前記支持孔を画定する壁部が、前記トーションバーが捩り変形したり、復元したりする際に、軸受としての役割を果たすことができると共に、前記捩り変形動作に支承を来すことなく当該トーションバーの自由端を支持（係止）可能となる。したがって、前記利点に加え、トーションバーの動作をスムーズに行わせることができると共に、トーションバーが必要以上に変形することを防止することができる。
【００１８】
さらにまた、本発明にかかる機器用調整脚は、前記取付用ケースの外壁に、当該取付用ケースが固定される機器に形成された被嵌合部に着脱可能に嵌合する嵌合部を設けることもできる。このように構成することで、前記機器に機器用調整脚をより確実に安定して固定することができる。
【００１９】
また、本発明にかかる機器用調整脚は、前記摺動軸部が、機械的強度を有する樹脂にて形成された中空の外周部と、当該外周部の中空部に挿入された金属製の芯材と、を備えてなり、前記接地部は、その一部が前記中空部に挿入され、当該中空部に挿入された少なくとも一部が、前記中空部を画定する外周部の内壁と、前記中空部に挿入された芯材とによって挟持されていてもよい。このように構成することで、例えば、接着剤や粘着剤、あるいは両面テープ等の固定手段を用いることなく、前記摺動軸部に接地部を確実に固定することができる。
【００２０】
そしてこの構成の場合、前記外周部の内壁は、前記接地部が配設される側の端部側に、前記中空部の内径が小さくなるように突出した段部を有し、前記接地部の当該中空部に挿入された少なくとも一部は、当該段部と当該中空部に挿入された芯材とによって挟持されるようにしてもよい。
【発明の効果】
【００２１】
本発明にかかる機器用調整脚は、ロック部の構成要素である取付用ケースと、トーションバーと、ロックピースとを一体的に形成し、且つ係合解除部によって前記トーションバーを捩り変形させることで、前記脚とロック部との係合を解除する構成を備えているため、衝撃に耐えるに十分な強度を備えることは勿論のこと、構成を単純にすることができ、部品点数を少なくすることができる。この結果、組立が簡単であり、製造コストを削減することができる。
【発明を実施するための最良の形態】
【００２２】
次に、本発明の好適な実施の形態にかかる機器用調整脚について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００２３】
なお、以下に記載される実施の形態１〜３では、機器用調整脚が取付けられる機器側を「上」、機器が接地される接地面側を「下」あるいは「底」として説明する。
【００２４】
（実施の形態１）
図１は、本発明の実施の形態１にかかる機器用調整脚の分解側面図、図２は、本発明の実施の形態１にかかる機器用調整脚を組立てた状態を示す側面図、図３は、図１に示す機器用調整脚の構成要素である摺動軸部の平面図、図４は、図３に示すIV−IV線に沿った断面図、図５は、図１に示す機器用調整脚の構成要素である摺動軸部の底面図、図６は、図４に示す摺動軸部の一部を拡大して示す断面図、図７は、図１に示す機器用調整脚の構成要素である接地部の平面図、図８は、図７に示すVIII−VIII線に沿った断面図、図９は、図８に示す接地部の一部を拡大して示す断面図、図１０は、図１に示す機器用調整脚の構成要素である摺動軸部に接地部を取付けた状態の一部を拡大して示す断面図、図１１は、図１に示す機器用調整脚の構成要素であるロック部の正面図、図１２は、図１１に示すXII−XII線に沿った断面図、図１３は、図１１に示すロック部の側面図、図１４は、図１３に示すXIV−XIV線に沿った断面図、図１５は、図１１に示すロック部の平面図、図１６は、図１２に示すロック部の一部を拡大して示す断面図、図１７は、図１３に示すロック部の一部を拡大して示す断面図、図１８は、図１２に示すロック部に脚を挿入した状態を示す断面図、図１９は、図１８に示すXXI−XXI線に沿った断面図である。
【００２５】
図１〜図１９に示すように、実施の形態１にかかる機器用調整脚１は、図示しない機器の傾きや高さを調整するために、当該機器の所望位置（実施の形態１では、機器の底板）に固定されるものであり、機器の所望位置に固定され、且つ脚１０を貫通させる貫通孔５１を有し、貫通孔５１に貫通させた脚１０の長手方向に移動可能であると共に、脚１０をロックするロック部５０と、ロック部５０に一体的に形成された係合解除部としての操作レバー９０とを備えて構成されている。
【００２６】
脚１０は、略円盤状のベース１１と、ベース１１上に一体的に形成された略円柱形状で中空の摺動軸部２１と、摺動軸部２１の中空部２２に挿入された金属シャフト３１と、ベース１１の底面に取付けられる接地部４１を備えて構成されている。
【００２７】
ベース１１は、例えば、機械的強度に優れた樹脂から構成されており、その底面には、後に詳述する接地部４１に形成された取付孔４２Ａ、４２Ｂ、４２Ｃ及び４２Ｄに挿入される取付用凸部１２Ａ、１２Ｂ、１２Ｃ及び１２Ｄが、一体的に設けられている。また、ベース１１には、後に詳述する摺動軸部２１の中空部２２に連通すると共に、底面まで貫通する貫通孔１３が形成されている。ベース１１の貫通孔１３を画定する内壁の底面側には、貫通孔１３の底面側の径が、上部側の径よりも小さくなるように画定する段部１４（図１０参照）が形成されている。
【００２８】
摺動軸部２１は、例えば、機械的強度に優れた樹脂から構成されており、その外周面には、ベース１１と間隔を置いた位置から上部近傍まで、第１の係合部としての台形ねじ２３が形成されている。摺動軸部２１の上部２４には、摺動軸部２１がロック部５０の貫通孔５１を貫通した際に、摺動軸部２１からロック部５０が抜け落ちることを防止するための爪部２５が形成されている。また、摺動軸部２１には、摺動軸部２１をロック部５０の貫通孔５１に貫通させる際に、爪部２５が貫通孔５１を画定する壁部に干渉することを避けるため、爪部２５を弾性的に退避させるための切欠き２６が形成されている。
【００２９】
ベース１１及び摺動軸部２１を構成する機械的強度に優れた樹脂としては、例えば、エンジニアリングプラスチック等が望ましく、その一例としては、ポリカーボネート、ポリアミド、ポリアセタール、ＰＢＴ、及びそれらにガラス繊維を含有させたもの等が挙げられる。
【００３０】
金属シャフト３１は、摺動軸部２１の中空部２２に挿入可能な略円柱形状を有し、中空部２２に挿入された際に、その上部先端が、切欠き２６の途中位置まで達する長さを有している。この金属シャフト３１は、取付用ケース５２の貫通孔５１に脚１０を挿入した後、中空部２２に挿入される。このように金属シャフト３１が切欠き２６の途中位置まで達することで、摺動軸部２１がロック部５０の貫通孔５１を貫通した後、爪部２５が切欠き２６内に弾性的に退避することを阻止することができる。この構成により、摺動軸部２１からロック部５０が抜け落ちることを防止可能としている。この金属シャフト３１は、摺動軸部２１に芯材として挿入されるものであり、脚１０にさらなる衝撃強度を付与している。
【００３１】
接地部４１は、エラストマー等の弾力を有する材料から構成されており、下部が湾曲面となった略円盤状を有し、その上面４３の略中央部分には、ベース１１に形成された貫通孔１３に挿入される略円柱状の凸部４４が形成されている。この凸部４４は、特に図７〜図１０に示すように、平面視で直径部分に相当する位置に切込み４５が形成されている。この凸部４４は、ベース１１に接地部４１を取付けた際に、摺動軸部２１に形成された段部１４よりも上部まで延出し、摺動軸部２１の中空部２２に金属シャフト３１を挿入した際に、金属シャフト３１の下面によって変形させられて、図１０に示すように、その先端が段部１４と金属シャフト３１の下面とによって挟持される。したがって、接地部４１は、例えば、接着剤や粘着剤、あるいは両面テープ等の固定手段を用いることなく、ベース１１を介して摺動軸部２１に確実に固定される。
【００３２】
また、接地部４１には、上面４３から下方に延びた４つの取付孔４２Ａ、４２Ｂ、４２Ｃ及び４２Ｄが、互いに９０度位相した位置に形成されている。そして、接地部４１を、ベース１１を介して摺動軸部２１に固定する際に、ベース１１に形成されている取付用凸部１２Ａ、１２Ｂ、１２Ｃ及び１２Ｄが、取付孔４２Ａ、４２Ｂ、４２Ｃ及び４２Ｄにそれぞれ挿入されるようになっている。
【００３３】
なお、実施の形態１では、金属シャフト３１を摺動軸部２１の中空部２２に圧入することによって、例えば、接着剤や粘着剤、あるいは両面テープ等の固定手段を用いることなく、金属シャフト３１を摺動軸部２１に固定した。また、取付孔４２Ａ、４２Ｂ、４２Ｃ及び４２Ｄの径を、取付用凸部１２Ａ、１２Ｂ、１２Ｃ及び１２Ｄの径よりも若干小さく設計し、接地部の弾力によって、取付用凸部１２Ａ、１２Ｂ、１２Ｃ及び１２Ｄをさらに確実に固定する構成とした。
【００３４】
また、ベース１１、摺動軸部２１、接地部４１は、樹脂で成形するからドライカラーを混ぜること等により塗装することなく機器に合わせた色で着色した成形品を短時間に安価に得ることができる。そして、安価な金属シャフト３１を芯材として収納することにより、手間がかからず安価に脚１０を製造することができると共に、衝撃強度を保ちながら、量産性が良く、コストダウンや軽量化が実現できる。
【００３５】
ロック部５０は、摺動軸部２１を貫通させる貫通孔５１が形成されてなる取付用ケース５２と、取付用ケース５２に一体的に設けられたトーションバー５３と、トーションバー５３に一体的に形成された連結部５４と、連結部５４に一体的に設けられたロックピース５５と、を備えて構成されている。
【００３６】
取付用ケース５２は、対向配置された２枚の側壁６６Ａ及び６６Ｂと、上面６１及び底面６５を備え、正面と背面が開放された箱状の枠体から構成されている。上面６１には、略円柱形状で中空の凸部６２が形成されており、凸部６２の中空部及びこれに連通して上面６１に形成された孔が、摺動軸部２１を挿通させる貫通孔５１となっている。また、取付用ケース５２の正面と背面が開放された側には、ロック部５０を機器に固定するための固定部６３Ａ及び６３Ｂが、上面６１から各々連続的に立設されている。そして、これらの固定部６３Ａ及び６３Ｂには、ロック部５０を機器に取付けるための爪６４Ａ及び６４Ｂがそれぞれ設けられている。また、底面６５にも貫通孔５１が形成されており、摺動軸部２１は、上面６１に形成された貫通孔５１及び底面６５に形成された貫通孔５１の両者を貫通することで、ロック部５０を貫通した状態となる。
【００３７】
また、側壁６６Ｂには、後に詳述するトーションバー５３の自由端が、遊貫され且つ支持される支持孔６７が形成されている。この支持孔６７の一部は、図１７に示すように、円弧状の側壁部６８によって画定されており、トーションバー５３の捩り変形を許容すると共に、トーションバー５３が捩り変形に伴う回動を行う際は、トーションバー５３の自由端は、円弧状の側壁部６８に当接し、ここで支持される。この時、円弧状の側壁部６８は、トーションバー５３を軸受として支持する役割も果たしている。
【００３８】
さらにまた、側壁６６Ａ及び６６Ｂのトーションバー５３が配設されている上部には、切欠き６９Ａ及び６９Ｂが形成されている。ここで、摺動軸部２１をロックピース５５によりロックし、機器用調整脚１によって機器を支えた際に、仮に、機器用調整脚１に予期しない大きな荷重がかかった場合、通常は摺動軸部２１とトーションバー５３とで前記荷重を受けることになる。しかしながら、前述したように切欠き６９Ａ及び６９Ｂを形成することで、取付用ケース５２にベント性を付与することができるため、仮に、このような予期しない大きな荷重がかかったとしても、取付用ケース５２の上面６１の内側面に、連結部５４の上面が当接し、この上面６１の内側面と連結部５４の上面とで前記荷重を受けられることになる。このため、摺動軸部２１とトーションバー５３にかかるはずの荷重を分散させることができ、ロック部５０が破損することを防止することができる。
【００３９】
さらに、取付用ケース５２には、後に詳述するトーションバー５３が、必要以上に捩り変形することを阻止するストッパ（図示せず）が形成されている。このストッパは、例えば、トーションバー５３が必要最大限付近まで捩り変形し、ロックピース５５が図１２でいう反時計回りに回動した際に、このロックピース５５の下部に当接して、ロックピース５５が、これ以上反時計回りに回動することを阻止できる位置等、任意の位置に配設することができる。
【００４０】
トーションバー５３は、一端が取付用ケース５２の側壁６６Ａの内側面に、連続的に固定されている。トーションバー５３の自由端側は、特に図１に示すように、支持孔６７に挿入し易いように切りかかれている。また、トーションバー５３の自由端側には、連結部５４がトーションバー５３と一体的に形成されている。さらに、連結部５４の下端には、ロックピース５５が連結部５４と一体的に形成されている。
【００４１】
ロックピース５５は、取付用ケース５２の略中央部側の面に、脚１０の摺動軸部２１に形成された台形ねじ２３に係合可能な台形ねじ７１が形成されている。このロックピース５５は、通常の状態（脚１０がロック部５０に挿入されておらず、トーションバー５３が捩れ変形していない状態：以下、「初期状態」ということがある）では、図１２〜図１５に示すように、貫通孔５１の外周（貫通孔５１を画定する壁部）よりも貫通孔５１の中心寄りに位置している。
【００４２】
また、ロックピース５５の台形ねじ７１が形成されている面とは反対側の面には、脚１０がロック部５０に挿入され、摺動軸部２１に形成された台形ねじ２３と、ロックピース５５の台形ねじ７１とが係合している際に、両者の係合を解除する係合解除部としての操作レバー９０が、一体的に形成されている。そして、この操作レバー９０を、図１８に示す矢印Ｘ方向に角度αで回動させる（上方に引き上げる）ことで、トーションバー５３が捩れ変形し、ロックピース５５が摺動軸部２１から離れ、台形ねじ２３と台形ねじ７１との係合が解除される。
【００４３】
そしてまた、ロックピース５５の操作レバー９０が形成されている側の下部には、ロックピース５５をトーションバー５３の捩り変形を復元させる方向、すなわち、摺動軸部２１に近づける方向に付勢する付勢部材としてのヒンジ部９１の一端が一体的に形成されており、ヒンジ部９１の他端は、取付用ケース５２の底面６５に一体的に固定されている。なお、このヒンジ部９１は、この部分を肉薄にすることで形成した。
【００４４】
この構成を備えた機器用調整脚１は、図２、図１８及び図１９に示すように、ロック部５０の貫通孔５１に脚１０が挿入された状態で、ロック部５０の固定部６３Ａ及び６３Ｂが、図示しない機器の底板に形成された取付孔に挿入され、ロック部５０の底面６５と、爪６４Ａ及び６４Ｂとによって、図示しない機器の底板を挟持することで固定される。この時、脚１０の摺動軸部２１に形成されている台形ねじ２３と、ロックピース５５に形成されている台形ねじ７１とが係合した状態となっており、トーションバー５３は、捩れ変形しており、この捩れ変形を復元しようとする力によって、ロックピース５５を摺動軸部２１に押し付ける方向に付勢している。したがって、ロックピース５５は、摺動軸部２１をしっかりと確実にロックする。
【００４５】
機器用調整脚１の高さを調整するには、先ず、手（指）で操作レバー９０を上方に引き上げる（図１８に示す矢印Ｘ方向に角度αで回動させる）と、トーションバー５３がさらに捩れ変形し、ロックピース５５が摺動軸部２１から離れて、台形ねじ２３と台形ねじ７１との係合が外れ、ロックピース５５による摺動軸部２１へのロックが解除される。この時、トーションバー５３は、支持孔６７の一部を画定している円弧状の側壁部６８に摺接し、スムーズな回動が行われる。
【００４６】
次に、機器用調整脚１の高さを調整した後、操作レバー９０から手（指）を離すと、ロックピース５５は、トーションバー５３の捩り変形を元に戻そうとする復元力と、ヒンジ部９１の付勢力によって、再び摺動軸部２１に押圧され、台形ねじ２３と台形ねじ７１とが係合し、ロックピース５５は、摺動軸部２１を再びしっかりと確実にロックする。この状態で、高さの微調整が必要な場合には、脚１０を回せば、ねじの特性により、摺動軸部２１に対し、ロック部５０を少しずつ移動させることができ、高さの微調整を簡単に行うことができる。なお、脚１０は、所定のストローク以上回すと空転するように摺動軸部２１の形成領域を設定している。また、機器の場所を変えたりして機器用調整脚１の高さを変更する場合には、前述の動作と同様に操作レバー９０を操作すればよい。
【００４７】
なお、実施の形態１では、ベース１１に形成された取付用凸部１２Ａ、１２Ｂ、１２Ｃ及び１２Ｄを、接地部４１に形成された取付孔４２Ａ、４２Ｂ、４２Ｃ及び４２Ｄに各々挿入した場合について説明したが、これに限らず、接地部４１は他の方法によってベース１１に固定してもよい。例えば、図２０に示すように、ベース１１に接地部４１が挿入可能な挿入孔４９を形成し、この挿入孔４９に接地部４１を圧入してもよい。また、接地部４１は、例えば、接着剤や粘着剤、あるいは両面テープ等の固定手段によって、ベース１１に固定してもよい。また、ベース１１を形成せずに、摺動軸部２１に直接固定してもよい。
【００４８】
また、実施の形態１では、接地部４１に凸部４４を形成し、凸部４４の先端が段部１４と金属シャフト３１の下面とによって挟持される構成とし、接地部４１がベース１１から外れることを防止した場合について説明したが、これに限らず、接地部４１は、前述したように、例えば、接着剤や粘着剤、あるいは両面テープ等の固定手段によって、ベース１１に固定してもよい。
【００４９】
そしてまた、接地部４１とベース１１との固定は、接地部４１に形成された取付孔４２Ａ、４２Ｂ、４２Ｃ及び４２Ｄに、ベース１１に形成された取付用凸部１２Ａ、１２Ｂ、１２Ｃ及び１２Ｄを圧入することによってのみ行うこともできる。また、この場合、例えば、接着剤や粘着剤、あるいは両面テープ等の固定手段を、補助的に使用してもよい。
【００５０】
さらにまた、実施の形態１では、第１の係合部及び第２の係合部として、台形ねじ２３及び台形ねじ７１を形成した場合について説明したが、これに限らず、第１の係合部及び第２の係合部は、互いに係合し合うことができ、ロック部５０で脚１０をロックすることが可能であれば、他の形状のねじや、あるいは凹凸等、所望により任意に選択することができる。
【００５１】
そしてまた、実施の形態１では、ロックピース５５をトーションバー５３の捩り変形を復元させる方向に付勢する付勢部材として、ヒンジ部９１を設けた場合について説明したが、これに限らず、前記付勢部材としては、例えば、コイルバネ、板ばね、皿ばね、ゴム等の弾性部材等、所望により任意に選択することができる。また、この付勢部材は、必ずしも設けなくてもよい。
【００５２】
（実施の形態２）
次に、本発明の実施の形態２にかかる機器用調整脚について図面を参照して説明する。
【００５３】
図２１は、実施の形態２にかかる機器用調整脚の構成要素であるロック部の断面図であって、初期状態を示す図、図２２は、実施の形態２にかかる機器用調整脚の構成要素であるロック部の断面図であって、係合解除部によりロックが解除された状態を示す図である。なお、実施の形態２では、実施の形態１で説明した部材と同様の部材には、同一の符号を付し、その詳細な説明は省略する。
【００５４】
図２１及び図２２に示すように、実施の形態２にかかる機器用調整脚２（但し、脚１０は、省略して示してある）と、実施の形態１にかかる機器用調整脚１との異なる点は、係合解除部として、押しボタン９５をさらに備えた点である。
【００５５】
押しボタン９５は、取付用ケース５２の外部に位置し、使用者の手（指）で押すことが可能な押圧部９６と、押圧部９６から延出し、取付用ケース５２内の底面６５に摺動可能に配設されると共に、ロックピース５５の下部に当接する延出部９７と、を備えて構成されている。なお、延出部９７は、ロックピース５５の下部に一体的に固定されていてもよく、ロック部５０とは別体として形成されていてもよい。また、延出部９７は、ロックピース５５の下部の、トーションバー５３の自由端側のみに当接してもよく、ロックピース５５の下部のほぼ全面に当接していてもよい。
【００５６】
この機器用調整脚２は、実施の形態１で説明した方法により摺動軸部２１に対するロック部５０のロックを解除する他、押しボタン９５を手（指）で押すことによって、トーションバー５３を捩れ変形させ、ロックピース５５を摺動軸部２１から離れさせ、台形ねじ２３と台形ねじ７１との係合を外し、ロックピース５５による摺動軸部２１へのロックを解除することができる。また、機器用調整脚２の高さを調整した後、押しボタン９５から手（指）を離すと、ロックピース５５は、トーションバー５３の捩り変形を元に戻そうとする復元力と、ヒンジ部９１の付勢力によって、再び摺動軸部２１に押圧され、台形ねじ２３と台形ねじ７１とが係合し、ロックピース５５は、摺動軸部２１を再びしっかりと確実にロックする。
【００５７】
なお、係合解除部として押しボタン９５を使用する場合は、図２３及び図２４に示すように、操作レバーを設けなくてもよい。
【００５８】
（実施の形態３）
次に、本発明の実施の形態３にかかる機器用調整脚について図面を参照して説明する。
【００５９】
図２５は、本発明の実施の形態３にかかる機器用調整脚の構成要素であるロック部の正面図、図２６は、図２５に示すXXVI−XXVI線に沿った断面図、図２７は、図２５に示すXXVII−XXVII線に沿った断面図であって、操作レバーを取外した状態を示す図、図２８は、図２５に示す機器用調整脚の構成要素である取付用ケースの正面図、図２９は、図２８に示す取付用ケースの正面に向かって左側の側面図、図３０は、図２８に示す取付用ケースの正面に向かって右側の側面図、図３１は、図２８に示す取付用ケースの背面図、図３２は、図２８に示す取付用ケースの平面図、図３３は、図２８に示す取付用ケースの底面図、図３４は、図２８に示すXXXIV−XXXIV線に沿った断面図、図３５は、図２８に示すXXXV−XXXV線に沿った断面図、図３６は、図２９に示すXXXVI−XXXVI線に沿った断面図、図３７は、図２９に示すXXXVII−XXXVII線に沿った断面図、図３８は、図２５に示す機器用調整脚の構成要素であるトーションバー及びこのトーションバーに一体的に設けられたロックピースの正面図、図３９は、図３８に示すXXXIX−XXXIX線に沿った断面図、図４０は、図３８に示すトーションバー及びロックピースの正面に向かって右側の側面図、図４１は、図４０に示すXXXXI−XXXXI線に沿った断面図、図４２は、図３８に示すロックピースに設けられる係合解除部の平面図、図４３は、図３８に示すロックピースに係合解除部を取付けた状態を示す平面図、図４４は、図２６に示すロック部に脚を挿入し、ロックピースで脚をロックした状態を示す断面図、図４５は、図２６に示すロック部に挿入された脚とロックピースとのロック状態を、係合解除部材によって解除した状態を示す断面図である。
【００６０】
なお、実施の形態３では、前述した実施の形態１及び実施の形態２で説明した部材と同様の部材には同一の符号を付し、その詳細な説明は省略する。
【００６１】
図２５〜図４５に示すように、実施の形態３にかかる機器用調整脚３の、実施の形態１にかかる機器用調整脚１と異なる主な点は、ロック部１５０及び操作レバー１９０の構成である。
【００６２】
ロック部１５０は、摺動軸部２１を貫通させる貫通孔１５１が形成されてなる取付用ケース１５２と、取付用ケース１５２とは別部材から構成され、取付用ケース１５２に取付けられるトーションバー１５３と、トーションバー１５３に一体的に形成された連結部１５４と、連結部１５４に一体的に設けられたロックピース１５５と、を備えて構成されている。
【００６３】
取付用ケース１５２は、対向配置された２枚の側壁１６６Ａ及び１６６Ｂと、上面１６１及び底面１６５を備え、正面と背面が開放された箱状の枠体から構成されている。上面１６１には、略円柱形状で中空の凸部１６２が形成されており、凸部１６２の中空部及びこれに連通して上面１６１に形成された孔が、摺動軸部２１を挿通させる貫通孔１５１となっている。また、底面１６５にも貫通孔１５１が形成されており、摺動軸部２１は、上面１６１に形成された貫通孔１５１及び底面１６５に形成された貫通孔１５１の両者を貫通することで、ロック部１５０を貫通した状態となる。
【００６４】
側壁１６６Ａの内面上部には、後に詳述するトーションバー１５３の第１のトーション部１５３Ａが固定されるトーションバー固定部２０１が形成されている。また、側壁１６６Ａの内面下部には、押しボタン９５の延出部９７の上面に摺接可能であり、押しボタン９５の進退移動をガイドするガイド部２０２Ａが形成されている。なお、この押しボタン９５は、操作レバー１９０の代わりに用いられるものであり、操作レバー１９０が使用される場合には、使用されないことがある。また、所望により、操作レバー１９０と併用して使用される場合もある。
【００６５】
側壁１６６Ｂの内面上部には、後に詳述するトーションバー１５３の第２のトーション部１５３Ｂの自由端が回動可能及び移動可能に挿入されて支持される支持孔１６７が形成されている。この支持孔１６７は、特に図３４に示すように、取付用ケース１５２の背面側（図３４でいう右側）が円弧状の側壁部１６８によって画定されている。この支持孔１６７は、トーションバー１５３の捩り変形を許容すると共に、トーションバー１５３が捩り変形に伴う回動を行う際に、第２のトーション部１５３Ｂの自由端が円弧状の側壁部１６８に当接し、ここで支持されるようになっている。この時、円弧状の側壁部１６８は、第２のトーション部１５３Ｂの自由端を軸受として支持する役割も果たしている。また、側壁１６６Ｂの内面下部には、押しボタン９５の延出部９７の上面に摺接可能であり、押しボタン９５の進退移動をガイドするガイド部２０２Ｂが形成されている。
【００６６】
また、側壁１６６Ｂは、取付用ケース１５２の背面側に、ロック部５０を機器に固定するための固定部１６３が形成されている。この固定部１６３は、特に図３６及び図３７に示すように、側壁１６６Ｂの壁厚（肉厚）よりも薄い壁厚で形成されており、その上部を支点として取付用ケース１５２の内側及び外側に揺動可能となるように、当該上部以外の部分と側壁１６６Ｂとの間に空間が形成されるよう、側壁１６６Ｂを切欠くことで形成されている。この固定部１６３の外面の下部には、互いに反対の方向に形成された係合爪１６３Ａ及び１６３Ｂが隣接されている。そして、後に詳細に説明するが、機器用調整脚３が、機器の筐体３００（図４６〜図４９参照）に取付けられた際には、係合爪１６３Ａが機器の筐体３００に形成された係止部３０１（図４７〜図４９参照）に係合するようになっている。
【００６７】
取付用ケース１５２の背面の両側には、平面視で略三角形を有する補強壁１６４Ａ及び１６４Ｂが形成されている。この補強壁１６４Ａ及び１６４Ｂは、上面１６１から連続した状態で側壁１６６Ａ及び１６６Ｂの途中まで各々延出されている。また、取付用ケース１５２の背面であって、補強壁１６４Ａと補強壁１６４Ｂとの間には、ロックピース１５５をトーションバー１５３の捩り変形を復元させる方向に付勢する付勢部材としての付勢片１６９が、上面１６１から連続した状態で形成されている。この付勢片１６９は、その自由端が、取付用ケース１５２に配設されたロックピース１５５の上部に当接可能な位置まで延出されている。
【００６８】
トーションバー１５３は、第１のトーション部１５３Ａと、第１のトーション部１５３Ａに連続して形成されると共に、第１のトーション部１５３Ａに対し略直角方向に延出した第２のトーション部１５３Ｂとを備えて構成されている。第１のトーション部１５３Ａは、取付用ケース１５２の側壁１６６Ａに形成されたトーションバー固定部２０１に固定される。また、第２のトーション部１５３Ｂの自由端は、取付用ケース１５２の側壁１６６Ｂに形成された支持孔１６７に回動可能に支持される。さらに、第２のトーション部１５３Ｂの自由端側には、下方に延出した連結部１５４が一体的に形成されており、この連結部１５４の下端には、ロックピース１５５が連結部１５４と一体的に形成されている。
【００６９】
ロックピース１５５は、取付用ケース１５２の略中央部側の面に、脚１０の摺動軸部２１に形成された台形ねじ２３に係合可能な台形ねじ７１が形成されている。このロックピース１５５は、図２６及び図２７に示すように、初期状態では、貫通孔１５１の外周（貫通孔１５１を画定する壁部）よりも貫通孔１５１の中心寄りに位置している。
【００７０】
また、ロックピース１５５の台形ねじ７１が形成されている面とは反対側の面には、脚１０がロック部１５０に挿入され、摺動軸部２１に形成された台形ねじ２３と、ロックピース１５５の台形ねじ７１とが係合している際に、両者の係合を解除する係合解除部としての操作レバー１９０が着脱可能に取付けられる操作レバー取付部２０３が形成されている。この操作レバー取付部２０３は、後に詳述する操作レバー１９０に形成された取付用爪２０４Ａ及び２０４Ｂ（図４２参照）が係合する係合部２０６Ａ及び２０６Ｂと、操作レバー１９０に形成された挿入凸部２０５が挿入される挿入孔２０７とから構成されている。
【００７１】
この構成を備えた機器用調整脚３は、図４４に示すように、ロック部１５０の貫通孔１５１に脚１０が挿入された状態では、脚１０の摺動軸部２１に形成されている台形ねじ２３と、ロックピース１５５に形成されている台形ねじ７１とが互いに係合した状態となっている。この時、トーションバー１５３は、第１のトーション部１５３Ａと第２のトーション部１５３Ｂとの連結点を起点として、第２のトーション部１５３Ｂが、第１のトーション部１５３Ａに対して相対的に捩れ変形しており、この捩れ変形を復元しようとする力によって、ロックピース１５５は、摺動軸部２１に押し付けられる方向に付勢される。したがって、ロックピース１５５は、摺動軸部２１をしっかりと確実にロックすることができる。
【００７２】
機器用調整脚３の高さを調整するには、先ず、手（指）で操作レバー１９０を上方に引き上げると、トーションバー１５３がさらに捩れ変形し、図４５に示すように、ロックピース１５５が摺動軸部２１から離れて、台形ねじ２３と台形ねじ７１との係合が外れ、ロックピース１５５による摺動軸部２１へのロックが解除される。この時、トーションバー１５３は、支持孔１６７の一部を画定している円弧状の側壁部１６８に摺接し、スムーズな回動が行われる。
【００７３】
次に、機器用調整脚３の高さを調整した後、操作レバー１９０から手（指）を離すと、ロックピース１５５は、トーションバー１５３の捩り変形を元に戻そうとする復元力と、付勢片１６９の付勢力によって、図４４に示すように、再び摺動軸部２１に押圧され、台形ねじ２３と台形ねじ７１とが係合し、ロックピース１５５は、摺動軸部２１を再びしっかりと確実にロックする。この状態で、高さの微調整が必要な場合には、実施の形態１で説明した動作と同様に脚１０を回せばよい。また、機器の設置場所を変えたりして機器用調整脚３の高さを変更する必要がある場合には、前述の動作と同様に操作レバー１９０を操作すればよい。
【００７４】
なお、このロックピース１５５の摺動軸部２１に対する進退動作は、操作レバー１９０によって行う他、図４６及び図４７に示すように、押しボタン９５を使用して行ってもよい。この場合、操作レバー１９０をロックピース１５５から取外しておくことができる。この押しボタン９５を使用した際の、摺動軸部２１に対するロックピース１５５の進退動作は、実施の形態２で説明した動作と同様である。また、押しボタン９５を押圧する、あるいは押圧を解除することにより、押しボタン９５が進退移動する際には、押しボタン９５の延出部９７の上面が、側壁１６６Ａ及び１６６Ｂに形成されたガイド部２０２Ａ及び２０２Ｂにガイドされるため、前記進退移動をよりスムーズに安定して行わせることができる。
【００７５】
なお、係合解除部として操作レバー１９０の代わりに押しボタン９５を使用する場合であっても、所望により操作レバー１９０は、ロックピース１５５に取付けたままにしておいてもよい。
【００７６】
次に、図４６及び図４７に示す機器用調整脚が取付けられる機器の筐体について図面を参照して説明する。
【００７７】
図４８は、機器の筐体に形成された取付孔に図４６及び図４７に示す機器用調整脚が挿入されて固定された状態を示す正面図、図４９は、図４８に示すXXXXIX−XXXXIX線に沿った断面図、図５０は、図４９に示すXXXXX−XXXXX線に沿った断面図、図５１は、図４９に示すXXXXXI−XXXXXI線に沿った断面図である。但し、図４８〜図５１では、取付用ケースと筐体との関係を判りやすくするため、機器用調整脚のうち、取付用ケース以外の部材は省略して記載した。
【００７８】
図４８〜図５１に示すように、図４６及び図４７に示す機器用調整脚３が取付けられる機器の筐体３００の底面３０５には、機器用調整脚３が挿入されて筐体３００に取付けられるための取付孔３１０が形成されている。この取付孔３１０の上部を画定する上面３０６には、取付用ケース１５２に形成された中空の凸部１６２が挿入される凸部挿入孔３０４が形成されている。この凸部挿入孔３０４に中空の凸部１６２が挿入されることで、凸部挿入孔３０４を画定している周壁が中空の凸部１６２に外周面に接し、機器用調整脚３を所定位置に維持することができるようになっている。
【００７９】
また、筐体３００の取付孔３１０を画定する側壁３１１のうち、機器用調整脚３が挿入された際に、側壁１６６Ｂに形成された固定部１６３が配設される部分には、固定部１６３を位置させるための切欠き部３１２が形成されている。また、底面３０５のうち、機器用調整脚３が挿入された際に、固定部１６３の係合爪１６３Ｂが配設される位置には、貫通孔３０８が形成されている。そして、底面３０５のうち、切欠き部３１２が形成されていて、貫通孔３０８が形成されていない部分が、係合爪１６３Ａが係止される係止部３０１となる。
【００８０】
この筐体３００の取付孔３１０内に、図４６及び図４７に示す機器用調整脚３を挿入すると、固定部１６３の係合爪１６３Ａが、筐体３００の係止部３０１に係止され、機器用調整脚３が筐体３００に固定される。この時、図示しないが、ロック部１５０に挿入されている摺動軸部２１の上部２４側は、筐体３００に形成された凸部挿入孔３０４から延出可能となっている。なお、機器用調整脚３による機器の高さの調整は、前述した通りである。
【００８１】
また、筐体３００の取付孔３１０から機器用調整脚３を取外す際は、図５２に示すように、筐体３００の貫通孔３０８に挿入可能な取外し具４００を使用し、図５３に示すように、下方から貫通孔３０８に取外し具４００を挿入して、取付用ケース１５２に形成された係合爪１６３Ａを押圧して内側に後退させ、係止部３０１と係合爪１６３Ａとの係合を解除し、この状態のまま取外し具４００と共に、機器用調整脚３を引き抜けばよい。
【００８２】
なお、機器の筐体３００に、図２５〜図４５に示す機器用調整脚３を取付ける場合は、操作レバー１９０が突出する側（背面側）が正面となるようにすればよい。この場合、筐体３００の切欠き部３１２が形成されている位置に、機器用調整脚３の固定部１６３が配設されるように、固定部１６３の位置を変更する等、必要に応じて設計変更をおこなうことができることは勿論である。
【図面の簡単な説明】
【００８３】
【図１】本発明の実施の形態１にかかる機器用調整脚の分解側面図である。
【図２】本発明の実施の形態１にかかる機器用調整脚を組立てた状態を示す側面図である。
【図３】図１に示す機器用調整脚の構成要素である摺動軸部の平面図である。
【図４】図３に示すIV−IV線に沿った断面図である。
【図５】図１に示す機器用調整脚の構成要素である摺動軸部の底面図である。
【図６】図４に示す摺動軸部の一部を拡大して示す断面図である。
【図７】図１に示す機器用調整脚の構成要素である接地部の平面図である。
【図８】図７に示すVIII−VIII線に沿った断面図である。
【図９】図８に示す接地部の一部を拡大して示す断面図である。
【図１０】図１に示す機器用調整脚の構成要素である摺動軸部に接地部を取付けた状態の一部を拡大して示す断面図である。
【図１１】図１に示す機器用調整脚の構成要素であるロック部の正面図である。
【図１２】図１１に示すXII−XII線に沿った断面図である。
【図１３】図１１に示すロック部の側面図である。
【図１４】図１３に示すXIV−XIV線に沿った断面図である。
【図１５】図１１に示すロック部の平面図である。
【図１６】図１２に示すロック部の一部を拡大して示す断面図である。
【図１７】図１３に示すロック部の一部を拡大して示す断面図である。
【図１８】図１２に示すロック部に脚を挿入した状態を示す断面図である。
【図１９】図１８に示すXXI−XXI線に沿った断面図である。
【図２０】本発明の他の実施の形態にかかる機器用調整脚の一部を拡大して示す段面図である。
【図２１】本発明の実施の形態２にかかる機器用調整脚の構成要素であるロック部の断面図であって、初期状態を示す図である。
【図２２】本発明の実施の形態２にかかる機器用調整脚の構成要素であるロック部の断面図であって、係合解除部によりロックが解除された状態を示す図である。
【図２３】本発明の他の実施の形態にかかる機器用調整脚の構成要素であるロック部の断面図であって、初期状態を示す図である。
【図２４】本発明の他の実施の形態にかかる機器用調整脚の構成要素であるロック部の断面図であって、係合解除部によりロックが解除された状態を示す図である。
【図２５】本発明の実施の形態３にかかる機器用調整脚の構成要素であるロック部の正面図である。
【図２６】図２５に示すXXVI−XXVI線に沿った断面図である。
【図２７】図２５に示すXXVII−XXVII線に沿った断面図である。
【図２８】図２５に示す機器用調整脚の構成要素である取付用ケースの正面図である。
【図２９】図２８に示す取付用ケースの正面に向かって左側の側面図である。
【図３０】図２８に示す取付用ケースの正面に向かって右側の側面図である。
【図３１】図２８に示す取付用ケースの背面図である。
【図３２】図２８に示す取付用ケースの平面図である。
【図３３】図２８に示す取付用ケースの底面図である。
【図３４】図２８に示すXXXIV−XXXIV線に沿った断面図である。
【図３５】図２８に示すXXXV−XXXV線に沿った断面図である。
【図３６】図２９に示すXXXVI−XXXVI線に沿った断面図である。
【図３７】図２９に示すXXXVII−XXXVII線に沿った断面図である。
【図３８】図２５に示す機器用調整脚の構成要素であるトーションバー及びこれに一体的に設けられたロックピースの正面図である。
【図３９】図３８に示すXXXIX−XXXIX線に沿った断面図である。
【図４０】図３８に示すトーションバー及びロックピースの正面に向かって右側の側面図である。
【図４１】図４０に示すXXXXI−XXXXI線に沿った断面図である。
【図４２】図３８に示すロックピースに設けられる係合解除部の平面図である。
【図４３】図３８に示すロックピースに係合解除部を取付けた状態を示す平面図である。
【図４４】図２６に示すロック部に脚を挿入し、ロックピースで脚をロックした状態を示す断面図である。
【図４５】図２６に示すロック部に挿入された脚とロックピースとのロック状態を解除部材によって解除した状態を示す断面図である。
【図４６】本発明の他の実施の形態にかかる機器用調整脚の構成要素であるロック部の断面図であって、初期状態を示す図である。
【図４７】本発明の他の実施の形態にかかる機器用調整脚の構成要素であるロック部の断面図であって、係合解除部によりロックが解除された状態を示す図である。
【図４８】機器の筐体に形成された取付孔に図４６及び図４７に示す機器用調整脚が挿入されて固定された状態を示す正面図である。
【図４９】図４８に示すXXXXIX−XXXXIX線に沿った断面図である。
【図５０】図４９に示すXXXXX−XXXXX線に沿った断面図である。
【図５１】図４９に示すXXXXXI−XXXXXI線に沿った断面図である。
【図５２】機器の筐体に形成された取付孔に図４６及び図４７に示す機器用調整脚が挿入されて固定された状態から機器用調整脚を取外す方法の一部を示す拡大断面図である。
【図５３】機器の筐体に形成された取付孔に図４６及び図４７に示す機器用調整脚が挿入されて固定された状態から機器用調整脚を取外す方法の一部を示す拡大断面図である。
【符号の説明】
【００８４】
１、２、３    機器用調整脚
１０    脚
１１    ベース
１３    貫通孔
１４    段部
２１    摺動軸部
２２    中空部
３１    金属シャフト
４１    接地部
４４    凸部
５０、１５０    ロック部
５１、１５１    貫通孔
５２、１５２    取付用ケース
５３、１５３    トーションバー
５４、１５４    連結部
５５、１５５    ロックピース
６７、１６７    支持孔
９０、１９０    操作レバー
９１    ヒンジ部
９５    押しボタン
１６９    付勢片
【図１】
2007147058.tif 000003
【図２】
2007147058.tif 000004
【図３】
2007147058.tif 000005
【図４】
2007147058.tif 000006
【図５】
2007147058.tif 000007
【図６】
2007147058.tif 000008
【図７】
2007147058.tif 000009
【図８】
2007147058.tif 000010
【図９】
2007147058.tif 000011
【図１０】
2007147058.tif 000012
【図１１】
2007147058.tif 000013
【図１２】
2007147058.tif 000014
【図１３】
2007147058.tif 000015
【図１４】
2007147058.tif 000016
【図１５】
2007147058.tif 000017
【図１６】
2007147058.tif 000018
【図１７】
2007147058.tif 000019
【図１８】
2007147058.tif 000020
【図１９】
2007147058.tif 000021
【図２０】
2007147058.tif 000022
【図２１】
2007147058.tif 000023
【図２２】
2007147058.tif 000024
【図２３】
2007147058.tif 000025
【図２４】
2007147058.tif 000026
【図２５】
2007147058.tif 000027
【図２６】
2007147058.tif 000028
【図２７】
2007147058.tif 000029
【図２８】
2007147058.tif 000030
【図２９】
2007147058.tif 000031
【図３０】
2007147058.tif 000032
【図３１】
2007147058.tif 000033
【図３２】
2007147058.tif 000034
【図３３】
2007147058.tif 000035
【図３４】
2007147058.tif 000036
【図３５】
2007147058.tif 000037
【図３６】
2007147058.tif 000038
【図３７】
2007147058.tif 000039
【図３８】
2007147058.tif 000040
【図３９】
2007147058.tif 000041
【図４０】
2007147058.tif 000042
【図４１】
2007147058.tif 000043
【図４２】
2007147058.tif 000044
【図４３】
2007147058.tif 000045
【図４４】
2007147058.tif 000046
【図４５】
2007147058.tif 000047
【図４６】
2007147058.tif 000048
【図４７】
2007147058.tif 000049
【図４８】
2007147058.tif 000050
【図４９】
2007147058.tif 000051
【図５０】
2007147058.tif 000052
【図５１】
2007147058.tif 000053
【図５２】
2007147058.tif 000054
【図５３】
2007147058.tif 000055